(57)【要約】  【課題】無線温度センサを庫内温度データ検出手段として用いた冷蔵庫の場合、無線温度センサからの受信に異常をきたすと、冷蔵庫庫内を所定の温度まで冷却できなくなり、冷蔵庫として誤動作を起こす原因となる。  冷蔵庫等の如く配線の多い民生機器に用いると、配線を無くし、センサが自由に取付けられる等のメリットは得られるが、無線温度センサからの電波が途絶えると、誤ったデータを用い誤動作を起こす原因となる。  【解決手段】無線温度センサ２８、２９、３０それぞれの受信状況を監視する監視手段３５を備えたことにより、情報読取装置３１による無線温度センサ２８、２９、３０それぞれからの信号の受信間隔がＮ時間内で受信異常となった場合、予め第一の記憶手段３６に設定された応急運転モードを行うことにより、冷蔵庫庫内の無線温度センサ２８、２９、３０いずれかの信号が途絶えても冷蔵庫を停止することなく運転できる。【選択図】図２
2008039197.tif 000002
【特許請求の範囲】
【請求項１】
扉付きの断熱筐体より構成された貯蔵庫本体に、前記貯蔵庫本体内に形成され、物品を収納する貯蔵室と、前記貯蔵室内を所定の湿度や温度等の環境条件にする環境創出手段と、前記環境条件の設定を行う環境条件設定手段と、前記貯蔵室内の環境状況を検出し、無線にて検出結果を出力する無線式検出手段と、前記無線式検出手段の検出出力と前記環境条件設定手段の設定情報を入力とし、前記貯蔵室内を前記環境条件設定手段により設定された条件になるよう前記環境創出手段の運転を制御する運転制御手段を具備し、前記運転制御手段に、前記貯蔵室内の環境条件を特定の条件に設定した特定モードを記憶した記憶手段と、前記無線式検出手段の出力状況を受信する監視手段を設け、予め設定した時間内に前記監視手段による受信が得られなかったときに、前記特定モードで前記環境創出手段を運転するようにした貯蔵庫。
【請求項２】
前記監視手段による受信が、前回の受信後もしくは前記扉の開閉操作後から所定時間経過後にないことを認識したときに前記特定モードで前記環境創出手段を運転するようにした請求項１に記載の貯蔵庫。
【請求項３】
前記貯蔵室を複数設け、前記貯蔵室の少なくとも二室に無線式検出手段をそれぞれ設け、前記監視手段によるそれぞれの無線式検出手段からの受信回数が、前回の無線式検出手段からの出力受信後、もしくはいずれかの前記扉の開閉操作後から所定時間経過後であって所定回数に満たないことを認識したときに前記特定モードで前記環境創出手段を運転するようにした請求項１に記載の貯蔵庫。
【請求項４】
前記貯蔵室を複数設け、前記貯蔵室の少なくとも二室に無線式検出手段をそれぞれ設け、前記記憶手段が記憶する前記特定モードの設定条件を、前記監視手段が受信した側の無線式検出手段からの検出出力内容とした請求項３に記載の貯蔵庫。
【請求項５】
前記記憶手段を、揮発性メモリを具備する構成とし、前記特定モードの設定条件を前記揮発性メモリに書き込むようにした請求項１から４のいずれか一項に記載の貯蔵庫。
【請求項６】
複数の前記無線式検出手段による出力信号に、無線式検出手段の識別コードを含む請求項５または６に記載の貯蔵庫。
【請求項７】
前記環境創出手段が特定モードで動作中であることを報知する報知手段を設けた請求項１から７のいずれか一項に記載の貯蔵庫。
【発明の詳細な説明】
【技術分野】
【０００１】
本発明は、貯蔵室内の温度あるいは湿度等の環境を、該貯蔵室内に設けた無線式温度センサ、無線式湿度センサ等で検出し、その出力に基づいて機器の運転を行い、前記貯蔵室内の環境を設定条件に維持する制御装置を具備した貯蔵庫に関するものである。
【背景技術】
【０００２】
近年、温度や湿度等を計測するセンサと無線送信部を一体化した無線式センサが提案されている。従来のこの種無線式センサを利用した機器としては、複数の場所にそれぞれ無線式センサを配置し、これらによって得られる計測値（検出値）を集中管理しているシステムが知られている（例えば、特許文献１参照）。
【０００３】
図７は、上記特許文献１に記載され、無線温度センサを用いた機器の制御システムのブロック図を示すものである。
【０００４】
図７に示すように、温度センサ１と湿度センサ２でセンサ部３を構成し、必要な情報を切換器４で選択してＡ／Ｄ変換器５に入力する。第一のＣＰＵ６は信号をＡ／Ｄ変換器５から入力して、無線送信部７へ情報信号を出力し、送信アンテナ８から送信を行う。尚、各構成要素への電力供給は電源９から行われ、以上の構成要素を具備した複数の無線温度センサ送信機１０、１１、１２が配置されている。
【０００５】
本体機器１３には、受信アンテナ１４が設置されており、無線温度センサ送信機１０、１１、１２からの情報電波を受信し、無線受信部１５を経由して第二のＣＰＵ１６へこれらの情報信号が入力される。第二のＣＰＵ１６からは、情報内容に応じて本体機器１３を制御するための信号が、負荷制御手段１７を経由して第一の負荷１８、第二の負荷１９、第三の負荷２０へそれぞれ出力される。
【０００６】
以上のように構成され、無線温度センサを利用した機器について、以下その動作を説明する。
【０００７】
まず、センサ部３の温度センサ１と湿度センサ２で検出された情報（温度や湿度）を、切換器４で選択し、必要な情報をアナログ信号としてＡ／Ｄ変換器５に入力する。次に、Ａ／Ｄ変換器５では信号をアナログからデジタルに変換し、第一のＣＰＵ６に情報を出力する。第一のＣＰＵ６では、情報データに無線温度センサ送信機１０のＩＤコード等を付与して、送信データを無線送信部７、送信アンテナ８を経由して所定周波数の電波として本体機器１３に送信する。
【０００８】
本体機器１３側では、各無線温度センサ送信機１０、１１、１２から送信された情報データを受信アンテナ１４で検出し、無線受信部１５で電波信号をデジタル信号に変換し、第二のＣＰＵ１６に出力する。第二のＣＰＵ１６では、無線温度センサ送信機１０、１１、１２が設置されている場所と、その情報データから機器としての最適な制御方法を判断し、負荷制御装置１７を制御して各負荷１８、１９、２０をそれぞれ動作させる。
【特許文献１】特公平８−６９５５号公報
【発明の開示】
【発明が解決しようとする課題】
【０００９】
しかしながら、上記従来の構成を、冷蔵庫等のように配線の多い民生機器に用いると、配線を削減し、センサが自由な箇所に取付けられる等のメリットが得られるが、何らかの要因で無線温度センサからの電波が途絶えた場合、機器自体を制御することができなくなったり、または、通信異常に起因して誤ったデータに基づいて運転され、機器が誤動作を起こしたりする等の課題を有していた。
【００１０】
例えば、無線温度センサを庫内温度データとして用いた冷蔵庫の場合、無線温度センサが異常をきたすと、冷蔵庫庫内を所定の温度まで冷却することができなくなり、冷蔵庫として誤動作を起こす原因となることが考えられる。
【００１１】
本発明は、上記従来の課題を解決するもので、無線温度センサが異常を起こしても適正な動作を行うようにし、無線温度センサを用いた冷蔵庫の場合、庫内に設置された無線温度センサの信号が途絶えても、冷蔵庫庫内を所定の温度まで冷却することができる冷蔵庫を提供することを目的とする。
【課題を解決するための手段】
【００１２】
上記従来の課題を解決するために、本発明の貯蔵庫は、無線温度センサ等の無線式検出手段からの受信状況を確認し、前記無線式検出手段が異常と判断されたときに、予め記憶された特定モードで例えば、冷蔵庫であれば冷却運転を行い、また温蔵庫であれば加温運転を行うようにしたものである。
【００１３】
したがって、何らかの要因で前記無線式検出手段からの受信ができなくなった場合であっても、予め設定した特定モードで機器を運転制御し、貯蔵室内を所定環境状態に維持することが可能となる。
【００１４】
前記特定モードの運転内容としては、時間制御による環境創出手段の断続運転を一例として挙げることができる。
【発明の効果】
【００１５】
本発明の貯蔵庫は、無線式検出手段により環境状態を検出してその結果を無線出力する構成であるため、信号送信のための配線が削減でき、回路構成の簡素化がはかれ、また、前記無線信号の受信が所定時間内に到達しない場合は、異常と判断することなく予め設定した特定モードで機器の運転を制御するため、連続無休運転あるいは運転の継続停止により貯蔵庫内の環境が大幅に変化して貯蔵機能が果たせなくなってしまうといったことも解消でき、貯蔵庫の信頼性を向上することができる。
【発明を実施するための最良の形態】
【００１６】
請求項１に記載の発明は、扉付きの断熱筐体より構成された貯蔵庫本体に、前記貯蔵庫本体内に形成され、物品を収納する貯蔵室と、前記貯蔵室内を所定の湿度や温度等の環境条件にする環境創出手段と、前記環境条件の設定を行う環境条件設定手段と、前記貯蔵室内の環境状況を検出し、無線にて検出結果を出力する無線式検出手段と、前記無線式検出手段の検出出力と前記環境条件設定手段の設定情報を入力とし、前記貯蔵室内を前記環境条件設定手段により設定された条件になるよう前記環境創出手段の運転を制御する運転制御手段を具備し、前記運転制御手段に、前記貯蔵室内の環境条件を特定の条件に設定した特定モードを記憶した記憶手段と、前記無線式検出手段の出力状況を受信する監視手段を設け、予め設定した時間内に前記監視手段による受信が得られなかったときに、前記特定モードで前記環境創出手段を運転するようにしたものである。
【００１７】
かかる構成とすることにより、前記無線式検出手段の検出出力が得られないまま、前回の検出結果に基づいて環境創出手段が連続運転、あるいは連続停止したままとなることが防止でき、前記貯蔵室内の環境を一定の条件下に維持し、貯蔵庫の信頼性を高めることができる。
【００１８】
請求項２に記載の発明は、前記監視手段による受信が、前回の受信後もしくは前記扉の開閉操作後から所定時間経過後にないことを認識したときに前記特定モードで前記環境創出手段を運転するようにしたものである。
【００１９】
かかる構成とすることにより、前記特定モードへの運転切り換えの時期が特定でき、環境創出手段の運転制御を安定して行うことができる。
【００２０】
請求項３に記載の発明は、前記貯蔵室を複数設け、前記貯蔵室の少なくとも二室に無線式検出手段をそれぞれ設け、前記監視手段によるそれぞれの無線式検出手段からの受信回数が、前回の無線式検出手段からの出力受信後、もしくはいずれかの前記扉の開閉操作後から所定時間経過後であって所定回数に満たないことを認識したときに前記特定モードで前記環境創出手段を運転するようにしたものである。
【００２１】
かかる構成とすることにより、前記受信回数が所定回数に満たない場合は、前記いずれかの無線式検出手段の送信不良と認識し、前記貯蔵室内を特定モードの環境条件下となるように環境創出手段を制御するため、それぞれの貯蔵室を適正範囲の環境に維持することができる。
【００２２】
請求項４に記載の発明は、前記貯蔵室を複数設け、前記貯蔵室の少なくとも二室に無線式検出手段をそれぞれ設け、前記記憶手段が記憶する前記特定モードの設定条件を、前記監視手段が受信した側の無線式検出手段からの検出出力内容としたものである。
【００２３】
かかる構成とすることにより、適正範囲に維持された側の貯蔵室の環境条件を設定条件とすることができ、それぞれの貯蔵室内を適正範囲に維持することができる。
【００２４】
請求項５に記載の発明は、前記記憶手段を、揮発性メモリを具備する構成とし、前記特定モードの設定条件を前記揮発性メモリに書き込むようにしたものである。
【００２５】
かかる構成とすることにより、落雷等で停電しても前記特定モードのデータを保有することが可能となり、電源が復旧した後に、前回の環境創出運転を再度開始することができる。
【００２６】
請求項６に記載の発明は、複数の前記無線式検出手段による出力信号に、無線式検出手段の識別コードを含むようにしたものである。
【００２７】
かかることにより、前記無線式検出手段毎の情報として区分でき、環境創出手段を貯蔵室の環境に応じて制御することが可能となる。
【００２８】
請求項７に記載の発明は、前記環境創出手段が特定モードで動作中であることを報知する報知手段を設けたもので、かかることにより、ユーザに貯蔵庫の運転が通常モードでないことを報知することができ、逸早く保守・点検作業に移ることができる。かかる作業に逸早く移ることは、食品等を管理する貯蔵庫において、衛生上有用である。
【００２９】
以下、本発明の実施の形態について、図面を参照しながら説明するが、従来例で説明した構成要件と同一の構成要件については同一の符号を付して、その詳細な説明を省略する。なお、この実施の形態によってこの発明が限定されるものではない。
【００３０】
（実施の形態１）
図１は、本発明の実施の形態１における冷蔵庫の構成図である。図２は、同実施の形態１における冷蔵庫の機能ブロック図である。図３は、同実施の形態１における冷蔵庫の無線温度センサの制御構成ブロック図である。図４は、同実施の形態１における冷蔵庫の情報読取装置および監視手段の動作内容を示すフローチャートである。
【００３１】
図１において、冷蔵庫は、断熱筐体からなる冷蔵庫本体２１内に、区画壁によって区画され、それぞれ貯蔵室として機能する第一の冷蔵室２２と、第二の冷蔵室２３と、冷凍室２４を具備し、また、第一の冷蔵室２２に対応した第一の冷蔵室扉２５、第二の冷蔵室２３に対応した第二の冷蔵室扉２６、冷凍室２４に対応した冷凍室扉２７をそれぞれ具備している。そして、それぞれ対応する扉を閉めることで、貯蔵室内の冷気が貯蔵室外と触れることがないように密閉される。
【００３２】
さらに、冷蔵室扉２５の前面には、後述する警報器４０が設けられている。
【００３３】
なお、冷気を作り出す冷凍サイクル３３（図２）は、周知の如く圧縮機、凝縮器、キャピラリチューブ、蒸発器（いずれも図示せず）の閉回路で構成され、冷蔵庫本体２１の内部に搭載されている。この冷凍サイクルは、本発明の環境創出手段に相当する。
【００３４】
そして、第一の冷蔵室２２の中には第一の無線温度センサ２８が、第二の冷蔵室２３の中には第二の無線温度センサ２９が、冷凍室２４の中には第三の無線温度センサ３０が、それぞれ任意の位置に埋設されている。これらの無線温度センサ２８、２９、３０は、必要に応じて埋設ではなく、載置として移動可能としてもよい。
【００３５】
また、各無線温度センサ２８、２９、３０は、本発明の無線式検出手段に相当し、その構成は周知の如く、温度を検出するセンサ部と、該センサ部より取込んだ電気信号をデータ化し、所定時間毎に電波出力する出力部と、駆動源である電源部（電池）を主な構成要件としているもので、前記出力部から出力されるデータには、どのセンサであるかを識別するための識別コードが持たされている。なお、各無線温度センサ２８、２９、３０についての詳細な説明は後述する。
【００３６】
また、無線温度センサ２８、２９、３０の送信信号をどの無線温度センサからのものであるか識別しながら受信して情報を読み取る情報読取装置３１は、第一の冷蔵室２２内における任意の位置に埋設されている。なお、本実施の形態１においては、情報読取装置３１を第一の冷蔵室２２に設けた構成としているが、無線温度センサ２８、２９、３０からの信号が受信できる範囲であれば、冷蔵庫の何処の位置に埋設しても良い。
【００３７】
次に、冷蔵庫の室内状態を制御する構成を、図２の機能ブロック図で説明する。本実施の形態１における冷蔵庫は、情報読取装置３１により受信された無線温度センサ２８、２９、３０からのデータ受信状態を監視する監視手段３５と、冷蔵室２２、２３内および冷凍室２４内の温度環境を創出する環境創出機器（冷凍サイクル３３、冷気循環手段３４）の運転を制御する制御手段３２を具備している。
【００３８】
前記環境創出手段は、周知の如く冷凍サイクル３３と、送風ファン、電動ダンパー等の冷気循環手段３４等が該当する。
【００３９】
監視手段３５は、不揮発性メモリ（ＥＥＰＲＯＭやＰＲＯＭ等で代表されるように、電源が切れてもデータが消えないメモリ）等で構成される第一の記憶手段３６と、例えば、冷蔵室扉２５、２６、冷凍室扉２７の開閉操作、あるいは情報読取装置３１からの信号を起点にカウント動作を開始するタイマー３７を備えている。ここでは、前回の受信後、すなわち情報読取装置３１からの信号を起点にカウント動作を開始するものとして説明する。
【００４０】
監視手段３５は、無線温度センサ２８、２９、３０それぞれからのデータの受信状態を個別に判断する機能を有し、無線温度センサ２８、２９、３０それぞれから送信されるデータの間隔で無線温度センサ２８、２９、３０の送信動作のいずれかに異常がないか監視を行う。
【００４１】
監視手段３５にて、無線温度センサ２８、２９、３０からのそれぞれの送信間隔が所定時間内に行われていることを認識した場合は、それぞれの無線温度センサ２８、２９、３０が正常に送信動作を行っていると判断され、通常運転モード（ユーザが設定した運転モード）が選択される。
【００４２】
ここで、第一の記憶手段３６は、ユーザによる前記通常運転モードのデータを変更の都度更新記憶する他に、情報読取装置３１で読み取った受信データを記憶し、さらに、初期値として設定された応急運転モード（固定モード）のデータが予め記憶されている。この応急運転モードは、本発明の特定モードに相当するものである。
【００４３】
したがって、情報読取装置３１で読み取った受信データは、入力情報として第一の記憶手段３６に記憶される。
【００４４】
制御手段３２は、第一の記憶手段３６に記憶した入力情報および前記通常運転モードの情報を読み込み、それらの情報を基に演算処理して各冷蔵室２２、２３および冷凍室２４内が最適な状態に維持されるように冷凍サイクル３３および冷気循環手段３４の運転を制御する。
【００４５】
また、タイマー３７が、無線温度センサ２８、２９、３０のいずれかの送信を所定時間内に受信できなかった場合は、無線温度センサ２８、２９、３０のいずれかに対しての受信不良が発生していると判定し、前記応急運転モードが選択される。
【００４６】
前記応急運転モードが選択されると、第一の記憶手段３６に記憶された応急運転モード（固定モード）のデータが制御手段３２に読み込まれ、そのデータに沿って冷凍サイクル３３および冷気循環手段３４が運転されるとともに、警報器４０によって応急運転モードであることをユーザに知らせる。この警報器４０は、音あるいは光等を媒体とする周知の構成でよいため、説明を省略する。
【００４７】
前記応急運転モードの具体的な運転内容としては、冷凍サイクル３３および冷気循環手段３４の時間制御による断続運転が好ましい。一例として、予め定めた所定の時間間隔で断続的に冷凍サイクル３３を運転する制御とし、冷凍室２４への冷気供給をその冷凍サイクル３３の運転に連動して行い、冷蔵室２２、２３への冷気供給量を、冷凍室２４への冷気供給量よりも少なくなるよう冷気循環手段３４を制御すれば、冷凍室２４では、冷蔵室２２、２３より低い温度が得られる。
【００４８】
この応急運転モードでは、いずれかの無線温度センサ２８、２９、３０からの受信不良で冷蔵室２２、２３および冷凍室２４すべての貯蔵室の制御内容を変更する制御としたが、受信データの識別コードにより、受信不良となった無線温度センサを特定できるため、その貯蔵室のみを応急運転モードとしてもよい。
【００４９】
かかる制御において、一例を説明すると、比較的温度の高い冷蔵室２２、２３のいずれかが受信不良場合は、該当する冷蔵室の冷気循環手段を時間制御による断続運転として冷気を断続供給する制御とすればよく、また冷凍室２４の受信不良の場合は、上述の如くすべての貯蔵室の制御内容を変更する制御に準じた内容となる。
【００５０】
上記の如く制御を行うことから、情報読取装置３１、監視手段３５、制御手段３２等は、マイクロプロセッサーを具備する制御回路として構成されている。
【００５１】
次に、無線温度センサ２８、２９、３０の構成を、図３の制御構成ブロック図で説明する。この構成説明において、各無線温度センサ２８、２９、３０は、設置する貯蔵室に応じて特性が若干異なるものの同様の構成でよいため、ここでは便宜上冷蔵室２２に取付けられる無線温度センサ２８を中心に説明する。
【００５２】
同図に示す如く、無線温度センサ２８は、センサ部３と、Ａ／Ｄ変換器５と、第一のＣＰＵ６と、無線送信部７と、送信アンテナ８と、これらの駆動源である電源（電池）９を具備した構成である。
【００５３】
センサ部３は、図７の温度センサ１と湿度センサ２に加えて貯蔵室内のガス濃度を検出するガスセンサ３ａを具備した構成であり、これらの検出データが各貯蔵室の室内情報として従来の無線温度センサと同様に、Ａ／Ｄ変換器５へ取込まれ、データ化されて第一のＣＰＵ６、無線送信部７を経て送信アンテナ８から無線信号として定期的に、例えば、冷凍室２４の情報であれば１分毎に、また冷蔵室２２の情報であれば２分毎に、さらに冷蔵室２３の情報であれば３分毎に情報読取装置３１へ送信される。
【００５４】
また、電源９も従来と同様に各構成要素に電力を供給している。なお、第一のＣＰＵ６は、フラッシュメモリで記憶部を備えたＣＰＵ等があり、このＣＰＵの記憶部に無線温度センサ２８、２９、３０に対応して識別コードを持たせ、情報読取装置３１が個々の無線温度センサ２８、２９、３０を判別できるようにしている。
【００５５】
かかる無線温度センサ２８は、Ａ／Ｄ変換器５、第一のＣＰＵ６、無線送信部７等を、マイクロプロセッサーを含む回路によって構成している。
【００５６】
以上のように構成された冷蔵庫について、受信不良の有無による、通常運転モードと応急運転モードの切り換え動作について、図４を用いて説明する。
【００５７】
まず、監視手段３５の第一の記憶手段３６に記憶された通常運転モードのデータ（ユーザが選択して設定した情報、又は工場出荷時に設定された各室の温度、湿度、ガス濃度等の情報）を制御手段３２へ渡し（ＳＴＥＰ１）、起動時の運転として基準設定情報の初期値に基づいた初期運転モードにて冷蔵庫の冷却運転を行う（ＳＴＥＰ２）。この初期運転モードは、通常運転モードにおける運転開始初期の内容である。
【００５８】
この冷却運転開始と同時に、無線温度センサ２８、２９、３０からの受信有無判定動作に重要な所定時間の計測動作が始まる（ＳＴＥＰ３、ＳＴＥＰ４）。この所定時間は、万一通常運転が行えない状態になった場合、それぞれの貯蔵室内に温度変化が生じ、貯蔵物の品質を損なうことにつながるため、かかる不具合が発生しない程度の時間として設定するもので、ここでは、一例として、冷蔵室２２、２３の所定時間を１０分、冷凍室２４の所定時間を５分として説明する。
【００５９】
そして、無線温度センサ２８、２９、３０から定期的に送信される検出結果の送信データについて情報読取装置３１が受信できたかを判定する（ＳＴＥＰ５）。
【００６０】
ここでは、情報読取装置３１が正常に無線温度センサ２８、２９、３０からの送信を受信している場合について説明を続ける。また、送受信データを便宜上温度として説明する。
【００６１】
初期状態では、各無線温度センサ２８、２９、３０からの送信が行われていないため、所定時間の経過を確認する（ＳＴＥＰ６）。前述の如く、冷凍室２４の無線温度センサ３０の送信周期は１分毎であり、冷蔵室２２の無線温度センサ２８の送信周期は２分毎であり、冷蔵室２３の無線温度センサ２９の送信周期は３分毎である。また、所定時間は、前述の如く冷凍室２４については５分、冷蔵室２２、２３については１０分と定めているため、この時間が経過するまでに、それぞれの無線温度センサ２８、２９、３０から２回目以降の送信が行われる。
【００６２】
したがって、前述の各周期時間が経過するまでは、ＳＴＥＰ３からＳＴＥＰ６が繰り返し行われ、その周期時間が経過すると、情報読取装置３１での受信が確認される（ＳＴＥＰ５）。ここで受信した信号は、定期的に遅滞なく送信されたものであるか、すなわち、ＳＴＥＰ４で計測された時間内に送信されたものであるかを判定する（ＳＴＥＰ７）。その結果は、この場合所定時間内に送信されたものであるため、所定の送信データとして第一の記憶手段３６に記憶され（ＳＴＥＰ８）、そして制御手段３２に制御データとして引き渡される（ＳＴＥＰ９）。
【００６３】
制御手段３２では、かかるデータとＳＴＥＰ１でのデータを基に、冷凍サイクル３３、冷気循環手段３４の運転を制御し、冷蔵室２２、２３内部および冷凍室２４内部がＳＴＥＰ１でのデータで定められた環境となるように、すなわち通常運転モードが行われる（ＳＴＥＰ１０）。このＳＴＥＰ１０において、この時点では未動作状態であるが、応急運転の解除処理と、警報器４０の動作解除処理も同時に行われる。
【００６４】
そして、通常運転モードが行われると同時に、ＳＴＥＰ４で行われている所定時間計測がリセットされ、タイマー３７が初期化される（ＳＴＥＰ１１）。
【００６５】
ここで、ＳＴＥＰ５で確認される送信データは、各無線温度センサ２８、２９、３０の出力データに含まれる識別コードおよび送信周期に応じて個々に判定されるものである。
【００６６】
以下、情報読取装置３１での受信が連続して継続されれば前述のＳＴＥＰ３からＳＴＥＰ５、ＳＴＥＰ５からＳＴＥＰ１１の処理動作が連続して行われ、通常運転モードにて各貯蔵室が所定の環境に維持される。
【００６７】
かかる状態において、ここで外来ノイズ等に起因して無線温度センサ２８の受信がされなかった場合について説明する。
【００６８】
かかる場合は、ＳＴＥＰ５での判定が異なり、初期の説明と同様に、次回の無線温度センサ２８の受信がＳＴＥＰ５で確認されるまでＳＴＥＰ６からＳＴＥＰ３の流れが繰り返される。この間冷蔵庫は、通常運転モードで制御されている。
【００６９】
そして、前述の所定時間内にＳＴＥＰ５で無線温度センサ２８の受信が確認されると、再びＳＴＥＰ７へ移行し、通常運転モードが継続される。
【００７０】
この場合は、他の冷蔵室２３、冷凍室２４が正常に受信され、また冷蔵室２２の受信も所定時間内で再受信したため、通常運転は中断されることなく継続された状態にある。
【００７１】
これらの動作は、無線温度センサ２８に限るものではなく、残る無線温度センサ２９、３０の場合についても同様に行われるものである。
【００７２】
次に、通常運転モードの状態において、無線温度センサ２８の電源９に電圧低下等の不備が生じ、特定の貯蔵室（冷蔵室２２）の制御に支障が発生した場合について説明する。
【００７３】
かかる場合は、無線温度センサ２８の送信が情報読取装置３１で連続して受信できない状態にあるため、ＳＴＥＰ４での所定時間が経過するまでＳＴＥＰ３からＳＴＥＰ６の流れが繰り返されている。そして、その間は、冷蔵庫は通常運転モードで運転されている。
【００７４】
やがて、無線温度センサ２８に対応する所定時間（１０分）が経過すると、ＳＴＥＰ６での判定が異なり、制御手段３２による運転データの変更が行われる。具体的には、まず、現在の冷蔵庫の運転が応急運転モードであるかが確認される（ＳＴＥＰ１２）。ここでは、これまでが通常運転モードの環境条件データに基づいて運転されていたため、第一の記憶手段３６に書き込まれている応急運転モードのデータが制御手段３２へ取込まれ（ＳＴＥＰ１３）、制御手段３２は、この応急運転モードデータに基づいて冷凍サイクル３３、冷気循環手段３４を制御し、その結果、通常運転モードから応急運転モードが実行される（ＳＴＥＰ１４）。
【００７５】
このＳＴＥＰ１４では、前記応急運転モードの実行に伴い、通常運転は解除され、同時に制御手段３２によって警報器４０が作動し、通常運転でないことをユーザに知らせることを行う。
【００７６】
以下、前記応急運転は、ＳＴＥＰ５で情報読取装置３１による受信の確認が行われるまで継続され、その間は、ＳＴＥＰ３からＳＴＥＰ６、ＳＴＥＰ１２、ＳＴＥＰ１４の流れが継続しており、未受信タイマー３７はリセットされることがない。
【００７７】
これらの動作は、無線温度センサ２８に限るものではなく、残る無線温度センサ２９、３０の場合についても同様に行われるものである。
【００７８】
本実施の形態１における応急運転モードの内容は、前述の如く時間制御による冷凍サイクル３３、冷気循環手段３４の間欠運転にて行うことができる。
【００７９】
そして、前述の応急運転モード中に、何らかの要因で無線温度センサ２８の送信がＳＴＥＰ５で確認できた場合は、前述の如くＳＴＥＰ７へ移行し、その受信が所定時間内のものであるかが確認される。この場合は、それまでＳＴＥＰ４での時間計測が連続していたため、ＳＴＥＰ７からＳＴＥＰ１１へ移行し、タイマー３７が一旦リセットされる。
【００８０】
したがって、所定時間経過後の再度の初期受信は、特に冷蔵室２２内の制御あるいは、無線温度センサ２８の動作が安定していないと予測されるため、一旦タイマー３７のリセットを行い、応急運転モードを継続して行うようにしている。
【００８１】
そして、ＳＴＥＰ３に戻り、所定時間が開始され、ＳＴＥＰ５で無線温度センサ２８からの受信が確認されると、ＳＴＥＰ７へ移行するが、この場合は、受信不良から復帰して連続の受信確認であるため、ＳＴＥＰ８に移行し、ＳＴＥＰ１０で応急運転モードおよび警報器４０の動作が解除され、冷蔵庫は通常運転モードで運転される。
【００８２】
以下、前述の如くＳＴＥＰ１１でタイマー３７の初期化が行われ、通常運転モードが連続して行われる。
【００８３】
また、上記応急運転モードに移る要因の可能性としては、無線温度センサ２８の電源９の電池切れ、あるいは無線温度センサ２８の落下、あるいは貯蔵物出し入れ時の衝撃等に起因する回路の破損、断線等が考えられる。かかる要因が発生すると、いずれの場合も、ＳＴＥＰ５での受信確認ができないため、応急運転モードが継続されたままとなり、通常運転モードに復帰することはない。
【００８４】
しかし、恒久的に応急運転が継続する場合は、警報器４０も作動しているため、ユーザに保守・点検を促すことができ、しかもその間は、応急運転によって各貯蔵室を最適条件に近い環境に維持しているため、貯蔵品鮮度等の劣化も抑制できる。
【００８５】
以上のように、本実施の形態１においては、無線温度センサ２８、２９、３０それぞれの受信状況を監視する監視手段３５を備えたことにより、情報読取装置３１による無線温度センサ２８、２９、３０それぞれからの信号の受信が、所定時間内に行えなくなった場合、予め第一の記憶手段３６に設定し、応急運転モードを行うことができる。したがって、冷蔵庫庫内の無線温度センサ２８、２９、３０いずれかの信号が途絶えても冷蔵庫を停止することなく運転することができる。
【００８６】
また、第一の記憶手段３６は不揮発性メモリであるため、落雷等で停電しても無線温度センサ２８、２９、３０からのデータを保有することが可能となり、電源が復旧した後に、前回の冷却運転を持続することができる。
【００８７】
また、第一のＣＰＵ６は、フラッシュメモリで記憶部を備えたＣＰＵ等で構成でき、ＣＰＵの記憶部に固有の認識コード等を記憶させることができるため、各無線温度センサ２８、２９、３０の受信データを区別することが可能となり、その結果、受信したデータに応じて室内情報を区別することができ、誤受信を未然に防ぐことができる。
【００８８】
なお、本実施の形態１においては、応急運転モードの環境条件設定に、冷凍サイクル３３および冷気循環手段３４の時間制御による断続運転としたが、例えば、各貯蔵室に設けた無線温度センサ２８、２９、３０のいずれかのデータが正常に受信できない場合、正常に受信できる貯蔵室の環境条件設定値に基づいて該不備が生じた貯蔵室の環境を制御するようにしてもよい。
【００８９】
例えば、冷蔵室２２の受信が不備である場合、最も設定温度が低い冷凍室２４の温度制御を基調にして、冷蔵室２３の温度制御に連動して冷気循環手段３４を制御することにより、冷蔵室２２を通常運転モードに近い環境で制御することができる。かかる制御は、冷蔵室２３の受信が不備である場合についても同様に、冷蔵室２２の環境条件維持制御に連動して行えるものである。
【００９０】
また、冷凍室２４の受信が不備な場合は、冷凍サイクルの運転時間を、冷凍温度が十分得られる時間設定で断続運転し、冷蔵室２２、２３については、冷気循環手段３４の通常運転モードとして設定された断続運転動作で冷気の供給量を制御することにより、冷凍室２４、冷蔵室２２、２３を通常運転モードに近い環境で制御することができる。
【００９１】
さらに、本実施の形態１においては、貯蔵室内の環境条件として温度を中心に説明したが、貯蔵室内の湿度、ガス濃度を環境条件として制御する場合についても同様に制御できるもので、湿度の場合であれば、除加湿手段（図示せず）の断続運転周期が制御され、ガス濃度の場合は、濃度調節手段（図示せず）の断続運転周期が制御されるものである。
【００９２】
また、無線温度センサ２８、２９、３０は、室内の温度を監視するように説明したが、室内に限らず、庫外の外気温度を監視する庫外無線温度センサとして利用することも可能である。かかる外気温度は、周知の如く例えば冬場、あるいは夜間の如く低外気温度（低室内温度）時における過冷却、所謂冷やし過ぎ等の運転防止に利用できるものである。
【００９３】
さらに、本実施の形態１においては、タイマー３７のカウント動作を、情報読取装置３１からの信号を起点にカウント動作を開始する構成としたが、一般的に設けられている扉の開閉を検知し、開扉時に庫内灯を点灯する扉スイッチの信号を利用し、開扉操作でリセットされ、閉扉操作でカウント動作を開始するように制御することもできる。一例として、図４に示すフローチャートにおいて、ＳＴＥＰ４とＳＴＥＰ５の間に、開扉であればタイマーを初期化した後にＳＴＥＰ２とＳＴＥＰ３の間に戻り、閉扉であればＳＴＥＰ５に移行する処理工程を設ければよい。
【００９４】
（実施の形態２）
図５は、本発明の実施の形態２における冷蔵庫の機能ブロック図である。図６は、同実施の形態２における冷蔵庫の情報読取装置および監視手段の動作内容を示すフローチャートである。ここで、先の実施の形態１と同一の構成要素については、同一の符号を付してその詳細な説明を省略する。
【００９５】
実施の形態１においては、複数の無線温度センサ２８、２９、３０のいずれかについて所定時間（冷凍室２４対象の５分または冷蔵室２２、２３対象の１０分）内に受信確認ができなかった場合に、冷凍サイクル３３および冷気循環手段３４の運転を、通常運転モードから応急運転モードに切り換えるように制御したが、本実施の形態２においては、正規の時間内に無線温度センサの受信が所定回数であることを確認できれば正常と判断して通常運転モードを行い、所定回数に満たなければいずれかの無線温度センサの受信不良が生じ、応急運転モードを行うもので、所定時間を一つの値に定め、その時間が経過するまでは応急運転に切り換えない制御としている点で、先の実施の形態１と制御内容が相違する。
【００９６】
図５において、本実施の形態２の監視手段３５は、情報読取装置３１により受信された無線温度センサ２８、２９、３０からのデータ受信状態を監視するもので、無線温度センサ２８、２９、３０からの送信が確認できた受信回数を記憶するカウンター３８と、不揮発性メモリ（ＥＥＰＲＯＭやＰＲＯＭ等で代表されるように、電源が切れてもデータが消えないメモリ）等で構成される第二の記憶手段３９と、設定時間を計測するタイマー３７ａを備えている。
【００９７】
監視手段３５は、タイマー３７ａにより計測された所定時間内に、カウンター３８に記憶された受信回数を確認し、予め正常値として記憶された回数と比較を行い、その結果に基づいて通常運転モード（ユーザが設定した運転モード）もしくは応急運転モード（固定モード）を選択し、制御手段３２へモード指示を行う機能を具備している。
【００９８】
ここで、第二の記憶手段３９は、ユーザによる前記通常運転モードのデータを変更の都度更新記憶する他に、情報読取装置３１で読み取った受信データを記憶し、さらに、初期値として設定された応急運転モード（固定モード）のデータが予め記憶されている。この応急運転モードは、本発明の特定モードに相当するもので、具体的には、先の実施の形態１において説明した応急運転モードの内容が実施される。
【００９９】
タイマー３７ａは、一定の時間を計測するもので、ここでは説明の便宜上６分と設定している。
【０１００】
したがって、無線温度センサ２８、２９、３０の各送信が、情報読取装置３１にて正常に受信できれば、所定時間（６分）内に、冷凍室２４の情報の６回と、第一冷蔵室２２の情報の３回と、第二冷蔵室の情報の２回がカウントされ、合計１１回の受信回数がカウンター３８に記憶される。
【０１０１】
また、前記応急運転モードとしては、先の実施の形態１と同様に、冷凍サイクル３３および冷気循環手段３４の時間制御による断続運転を例に説明する。
【０１０２】
以上のように構成された冷蔵庫について、受信不良の有無による、通常運転モードと応急運転モードの切り換え動作について、図６を用いて説明する。
【０１０３】
まず、監視手段３５の第二の記憶手段３９に記憶された通常運転モードのデータ（ユーザが選択して設定した情報、又は工場出荷時に設定された各室の温度、湿度、ガス濃度等の情報）を制御手段３２へ渡し（ＳＴＥＰ２１）、起動時の運転として基準設定情報の初期値に基づいた初期運転モードにて冷蔵庫の冷却運転を行う（ＳＴＥＰ２２）。この初期運転モードは、通常運転モードにおける運転開始初期の内容である。
【０１０４】
この冷却運転開始と同時に、無線温度センサ２８、２９、３０からの受信有無判定動作に重要な所定時間の計測動作が始まる（ＳＴＥＰ２３、ＳＴＥＰ２４）。この所定時間は、万一通常運転が行えない状態になった場合、それぞれの貯蔵室内に温度変化が生じ、貯蔵物の品質を損なうことにつながるため、かかる不具合が発生しない程度の時間として設定するもので、ここでは、一例として、冷凍室２４の品質維持を優先して所定時間を前述の如く６分として説明する。
【０１０５】
そして、無線温度センサ２８，２９，３０から定期的に送信される検出結果の送信データについて情報読取装置３１が受信できたかを判定する（ＳＴＥＰ２５）。
【０１０６】
ここでは、情報読取装置３１が正常に無線温度センサ２８、２９、３０からの送信を受信している場合について説明を続ける。また、送受信データを便宜上温度として説明する。
【０１０７】
初期状態では、各無線温度センサ２８、２９、３０からの送信が行われていないため、所定時間の経過を確認する（ＳＴＥＰ２７）。前述の如く、冷凍室２４の無線温度センサ３０の送信周期は１分毎であり、冷蔵室２２の無線温度センサ２８の送信周期は２分毎であり、冷蔵室２３の無線温度センサ２９の送信周期は３分毎である。また、所定時間は、前述の如く６分と定めているため、この時間が経過するまでに、それぞれの無線温度センサ２８、２９、３０から２回目以降の送信が行われる。
【０１０８】
したがって、前述の所定時間が経過するまでは、ＳＴＥＰ２３からＳＴＥＰ５、ＳＴＥＰ２７が繰り返し行われ、その間にＳＴＥＰ２５で確認された受信回数が都度カウンター３８に記憶される（ＳＴＥＰ２６）。
【０１０９】
前記所定時間（６分）が経過すると、受信回数の確認が行われる（ＳＴＥＰ２８）。正常であれば、合計１１回が記憶されている。この場合は、正常に受信されており、通常運転モードを実行するために、各無線温度センサ２８、２９、３０から送信された各室の情報（温度等）が第二の記憶手段３９に書き込まれ（ＳＴＥＰ２９）、引き続きそのデータが制御手段３２に制御データとして引き渡される（ＳＴＥＰ３０）。
【０１１０】
制御手段３２では、かかるデータとＳＴＥＰ２１でのデータを基に、冷凍サイクル３３、冷気循環手段３４の運転を制御し、冷蔵室２２、２３内部および冷凍室２４内部がＳＴＥＰ２１でのデータで定められた環境となるように、すなわち通常運転モードが行われる（ＳＴＥＰ３１）。このＳＴＥＰ３１では、この時点では未動作状態であるが、応急運転の解除処理と、警報器４０の動作解除処理も同時に行われる。
【０１１１】
そして、通常運転モードが行われると同時に、ＳＴＥＰ２４で行われている所定時間計測がリセットされ、タイマー３７ａが初期化される（ＳＴＥＰ３２）。
【０１１２】
ここで、ＳＴＥＰ２５で確認される送信データは、各無線温度センサ２８、２９、３０の出力データに含まれる識別コードおよび送信周期に応じて個々に判定しながらＳＴＥＰ２６でカウントするようにしてもよい。
【０１１３】
以下、情報読取装置３１での受信が連続して継続されれば前述のＳＴＥＰ２３からＳＴＥＰ３２の処理動作が連続して行われ、通常運転モードにて各貯蔵室が所定の環境に維持される。
【０１１４】
かかる状態において、ここで外来ノイズ等に起因して無線温度センサ２８の受信がされなかった場合について説明する。
【０１１５】
かかる場合は、ＳＴＥＰ２５での判定が異なり、ＳＴＥＰ２６の処理は行われず、ＳＴＥＰ２７へ移行し、所定時間の経過が確認される。その後、何ら影響を受けることなく無線温度センサ２８の受信が行われると、初期の説明と同様に、その受信がＳＴＥＰ２５で確認され、ＳＴＥＰ２６からＳＴＥＰ３３の流れが繰り返される。この間冷蔵庫は、通常運転モードで制御されている。
【０１１６】
そして、ＳＴＥＰ２７での所定時間計測が完了すると、ＳＴＥＰ２８で受信回数が確認される。今回は、外来ノイズ等の要因で１回受信カウントされていないため、ＳＴＥＰ２８で「応急運転」と判断され、処理は、ＳＴＥＰ３３へ移行する。
【０１１７】
したがって、応急運転モードが実施される。すなわち、第二の記憶手段３９に記憶している応急運転モードのデータが制御手段３２に取込まれ（ＳＴＥＰ３４）、通常運転モードが解除されて応急運転モードに切り換わり、警報器４０が動作する（ＳＴＥＰ３５）。
【０１１８】
そして、タイマー３７ａとカウンター３８が初期化され、以降の各貯蔵室が応急運転モードにて冷却される。
【０１１９】
以下、前記応急運転は、ＳＴＥＰ２８で情報読取装置３１による受信回数が設定回数確認されるまで継続され、その間は、ＳＴＥＰ２３からＳＴＥＰ２８、ＳＴＥＰ３３からＳＴＥＰ３５、ＳＴＥＰ３２の流れが継続しており、タイマー３７ａとカウンター３８は都度リセットされる。
【０１２０】
これらの動作は、無線温度センサ２８に限るものではなく、残る無線温度センサ２９、３０の場合についても、何らかの要因で受信が確認されなかった場合、受信カウント数が設定数に満たないため、同様に行われるものである。
【０１２１】
そして、次の所定時間（６分）内において、正常に各無線温度センサ２８、２９、３０からの送信が情報読取装置３１にて受信されると、ＳＴＥＰ２８での確認が「正常」と判断され、ＳＴＥＰ２９に移行し、通常運転モードに復帰するとともに、警報器４０の動作も解除され、タイマー３７ａ、カウンター３８がそれぞれ初期化されて次回の検出に備えた状態となる。
【０１２２】
このように、一時的な異常の場合は、ＳＴＥＰ２８で設定された受信回数が確認されると、通常運転モードに復帰するため、各貯蔵室内の環境が異常な状態となって貯蔵物を損傷することも防止される。
【０１２３】
ところが、無線温度センサ２８、２９、３０のいずれかが電池切れを生じる等、恒久的に情報読取装置３１で受信が確認できなくなった場合、上述の一時的な受信不良で説明した応急運転モードが、ユーザによる保守点検が行われるまで継続される。
【０１２４】
しかし、恒久的に応急運転が継続する場合は、警報器４０も作動しているため、ユーザに保守・点検を促すことができ、しかもその間は、応急運転によって各貯蔵室を最適条件に近い環境に維持しているため、貯蔵品鮮度等の劣化も抑制できる。
【０１２５】
以上のように、本実施の形態２においては、無線温度センサ２、２９、３０それぞれの受信状況を監視する監視手段３５を備えたことにより、情報読取装置３１による無線温度センサ２８、２９、３０それぞれからの信号の受信回数の合計が所定回数未満で「受信異常」と判断した場合、あらかじめ第二の記憶手段３９に設定されたデータによって応急運転モードを行うため、冷蔵庫庫内の無線温度センサ２８、２９、３０いずれかの信号が途絶えても冷蔵庫を停止することなく運転することができる。
【０１２６】
また、第二の記憶手段３９は不揮発性メモリであるため、落雷等で停電しても無線温度センサ２８、２９、３０からのデータを保有することが可能となり、電源が復旧した後に、前回の冷却運転を持続することができる。
【産業上の利用可能性】
【０１２７】
以上のように、本発明にかかる貯蔵庫は、家庭用又は業務用冷蔵庫に対して実施することはもちろん、室内情報を得て最適運転を行う保存庫や温蔵庫、さらには空気調和機等の如く所定の空間を所定の環境に維持する機器等に適用できるものである。
【図面の簡単な説明】
【０１２８】
【図１】本発明の実施の形態１における冷蔵庫の構成図
【図２】同実施の形態１における冷蔵庫の機能ブロック図
【図３】同実施の形態１における冷蔵庫の無線温度センサの制御構成ブロック図
【図４】同実施の形態１における冷蔵庫の情報読取装置および監視手段の動作内容を示すフローチャート
【図５】本発明の実施の形態２における冷蔵庫の機能ブロック図
【図６】同実施の形態２における冷蔵庫の情報読取装置および監視手段の動作内容を示すフローチャート
【図７】従来の無線温度センサを用いた機器の制御システムのブロック図
【符号の説明】
【０１２９】
２１  冷蔵庫本体
２８  第一の無線温度センサ
２９  第二の無線温度センサ
３０  第三の無線温度センサ
３１  情報読取装置
３２  制御手段
３３  冷凍サイクル
３４  冷気循環手段
３５  監視手段
３６  第一の記憶手段
３７  タイマー
３７ａ  タイマー
３８  カウンター
３９  第二の記憶手段
【図１】
2008039197.tif 000003
【図２】
2008039197.tif 000004
【図３】
2008039197.tif 000005
【図４】
2008039197.tif 000006
【図５】
2008039197.tif 000007
【図６】
2008039197.tif 000008
【図７】
2008039197.tif 000009